(57)【要約】【課題】転送の対象となるデータが複数存在する場合にも、その中から転送するデータを選択して、しかも転送の開始自体は間違いない操作で簡易に行うことのできる携帯端末装置およびデータ転送制御プログラムを得る。【解決手段】装置に固設されている加速度センサ１１８は、転送するデータが第１の液晶ディスプレイ１０４に表示され操作部１１２で選択された状態で起動され、連続して複数回にわたって特定の角度範囲の姿勢になった時点で、制御部１２１は赤外線通信部１０５を使用したデータの転送を開始させる。データの転送中はスピーカ１１０から所定のメロディが流れるので、転送が行われていることを知ることができる。【選択図】図３
2008034961.tif 000002
【特許請求の範囲】
【請求項１】
装置本体の姿勢について特定の変化を検出する姿勢変化検出手段と、
視覚的な情報を表示するディスプレイと、
このディスプレイに転送するデータの候補を表示させる転送データ候補表示手段と、
この転送データ候補表示手段によって表示された候補から転送するデータを選択する転送データ選択手段と、
この転送データ選択手段で転送するデータが選択された状態で前記姿勢変化検出手段が前記特定の変化を検出したときデータの転送を開始するデータ転送開始手段
とを具備することを特徴とする携帯端末装置。
【請求項２】
前記データ転送開始手段がデータの転送を開始したとき予め定めたデータ転送状態を通知する通知音を出力する通知音出力手段
を具備することを特徴とする請求項１記載の携帯端末装置。
【請求項３】
データの転送の終了を検知するデータ転送終了検知手段を備え、
前記通知音出力手段は、前記データ転送終了検知手段がデータの転送の終了を検知するまで通知音を出力することを特徴とする請求項２記載の携帯端末装置。
【請求項４】
前記通知音出力手段は、前記データ転送終了検知手段がデータの転送の終了を検知したときデータの転送完了を通知する完了通知音を出力することを特徴とする請求項３記載の携帯端末装置。
【請求項５】
前記データ転送開始手段がデータの転送を行っている間、前記ディスプレイにデータ転送の状況を表示する転送状況データを出力する転送状況データ出力手段
を具備することを特徴とする請求項１記載の携帯端末装置。
【請求項６】
前記姿勢変化検出手段は、所定のホームポジションから特定の角度以上姿勢が回転したとき前記特定の変化を検出することを特徴とする請求項１記載の携帯端末装置。
【請求項７】
前記姿勢変化検出手段は、所定のホームポジションから特定の角度以上で他の特定の角度以内の範囲で姿勢が回転したとき前記特定の変化を検出することを特徴とする請求項１記載の携帯端末装置。
【請求項８】
前記姿勢変化検出手段は、間隔をおいて複数の時間に前記特定の変化の有無を判別する変化有無判別手段と、この変化有無判別手段が変化の有りを検出するたびにカウント値を増加させ変化の無しを検出した時点でこのカウント値をリセットするカウント手段と、このカウント手段が２以上の正の値を計数したとき前記特定の変化が検出されたと判別する検出判別手段を具備することを特徴とする請求項１記載の携帯端末装置。
【請求項９】
コンピュータに、
転送するデータを選択する転送データ選択処理と、
この転送データ選択処理で転送するデータが選択された後、装置本体内に固定された加速度センサの出力からこの装置本体の姿勢が基準位置から変異した角度を所定時間ごとにサンプリングするサンプリング処理と、
このサンプリング処理によって前記角度が連続して複数回、特定の角度範囲に入ったときこれを検出する特定の角度範囲連続検出処理と、
この特定の角度範囲連続検出処理で前記角度が連続して複数回、前記特定の角度範囲に入ったことが検出されたとき、前記転送データ選択処理で選択したデータの転送を開始するデータ転送開始処理と、
このデータ転送開始処理でデータの転送が開始されたときそのデータの転送が終了するまでの間、データの転送が行われていることを表わす通知音を出力する通知音出力処理
とを実行させることを特徴とするデータ転送制御プログラム。
【発明の詳細な説明】
【技術分野】
【０００１】
本発明は、赤外線通信等の通信手段を用いてデータの転送を行うことのできる携帯端末装置およびデータ転送制御プログラムに係わり、特にデータの転送を開始させる操作に特徴を持った携帯端末装置およびデータ転送制御プログラムに関する。
【背景技術】
【０００２】
携帯電話機、ＰＨＳ（Personal Handy-phone System）、通信機能を備えたＰＤＡ（Personal Digital Assistant）等の携帯端末装置が通信だけでなく各種の機能を付加した装置として広く使用されている。このような装置ではＧＰＳ（Global Positioning System）機能を搭載した製品も増えてきており、地図を表示してナビゲーションを行うナビゲーションシステムに活用されている。このようなナビゲーションシステムでは、ＧＰＳ機能を搭載した携帯端末装置に加速度センサを併用することで、歩行動作と連動した直感的なナビゲーションが可能となる。また、ＧＰＳでは難しい地下街や屋内でのナビゲーションに大きな力を発揮することができる。
【０００３】
更に、加速度センサをデータの転送の開始時期の決定に利用して、携帯端末装置が落下する場合のデータの保護に活用する第１の提案も行われている（たとえば特許文献１参照）。この第１の提案では、携帯端末装置が何らかの原因で自由落下を開始した場合、加速度センサが初期段階でこれを検知して、装置が地面に衝突して損傷する前に、メモリに蓄積されたデータをバックアップサーバに転送するようにしている。約１メートルの高さから携帯端末装置が落下した場合、地面にぶつかる前に約４５０ミリ秒の時間があるので、その間に落下の検出とバックアップサーバとの通信開始およびバックアップサーバへのデータの転送が十分可能であるとしている。
【０００４】
このような非常時のデータ転送以外のデータ転送についても、携帯電話機に搭載された加速度センサを使用することが第２の提案として提案されている。この第２の提案は、携帯情報端末内部のファイルの内容をユーザに閲覧させる際に、その端末に備えられた表示部ではサイズの関係で小さくて見にくい場合があるという問題を解決するためのもので、携帯情報端末自身をマウスのような入力装置にしてしまうというものである。その入力装置には、加速度センサが配置されていて、これが所定の姿勢であるか否かを判断して、所定の姿勢であると判断された場合には、記憶手段に格納された情報を他の装置に転送するようにしている。
【特許文献１】特開２００１−３３１２８１号公報（第００３３段落〜第００３５段落、図１）
【特許文献２】特開２００５−２８４６５７号公報（第０００４段落、第００２４段落、図６）
【発明の開示】
【発明が解決しようとする課題】
【０００５】
第２の提案では、データを他の装置に転送する装置自体が表示部を備えていない。このような装置がどのようなものであるかは第２の提案の明細書には明示されていないが、たとえば表示部を持たない簡易なカメラのようなものであると推察される。簡易なカメラの場合、ユーザは１枚写真を撮ると、この装置を所定の姿勢にして内蔵されている加速度センサに検出させ、画像データをパーソナルコンピュータ等の他の装置に転送することになる。
【０００６】
したがって、第２の提案によれば、画像データ等のデータの転送を簡易に行うことができる反面で、転送の対象となるデータは既に決まった唯一のものである必要がある。ユーザが複数のデータから所望のデータを選択して送信することはできない。
【０００７】
このため、従来では携帯端末装置のディスプレイに転送の対象となるデータを幾つか表示して、操作キーを操作してその中から今回転送するデータを特定し、更に送信を行うタイミングでデータ転送開始用の「送信」ボタンを押すといったことが行われてきた。ところが、ディスプレイに比較的大きな面積を取られてしまうため、携帯端末装置に配置されるボタンの数が限定されて、「送信」ボタンは必ずしも専用のボタンとなっていない。したがって、勘違いで他のボタンを間違って押す場合がありデータの転送に失敗する場合があった。また、専用のボタンが配置されている場合であっても、ボタン全体の配置スペースが十分でない場合が多い。したがって、「送信」ボタンが他のボタンと接近して配置されている場合が多く、そのサイズも小さいことが通常なので、ユーザが静止した状態で携帯端末装置を慎重に操作しないと、押し間違いが生じる場合があった。
【０００８】
そこで本発明の目的は、転送の対象となるデータが複数存在する場合にも、その中から転送するデータを選択して、しかも転送の開始自体は間違いない操作で簡易に行うことのできる携帯端末装置およびデータ転送制御プログラムを提供することにある。
【課題を解決するための手段】
【０００９】
請求項１記載の発明では、（イ）装置本体の姿勢について特定の変化を検出する姿勢変化検出手段と、（ロ）視覚的な情報を表示するディスプレイと、（ハ）このディスプレイに転送するデータの候補を表示させる転送データ候補表示手段と、（ニ）この転送データ候補表示手段によって表示された候補から転送するデータを選択する転送データ選択手段と、（ホ）この転送データ選択手段で転送するデータが選択された状態で姿勢変化検出手段が前記した特定の変化を検出したときデータの転送を開始するデータ転送開始手段とを携帯端末装置に具備させる。
【００１０】
すなわち本発明では、姿勢変化検出手段だけでなくディスプレイも携帯端末装置に具備させ、ディスプレイを用いて転送するデータの候補を表示させ、選択させることにし、転送するデータが選択された状態で姿勢変化検出手段が前記した特定の変化を行ったときデータの転送を開始するようにしている。これにより、選択した後のデータの転送という重要な操作を確実かつ簡易に行わせることができる。
【００１１】
データの転送が行われている状態は、これを通知する通知音を出力するようにすれば簡単に確認することができる。データの転送が終了したときこれを通知する完了通知音を出力してもよい。また、ディスプレイにデータ転送の状況を表示することを併用して行ってもよい。更に、データの転送開始の指示の誤動作を防止するために、前記した特定の変化の有無を判別する変化有無判別手段が複数回連続して変化のありを検出することを条件としてデータの転送を開始することも有効である。
【００１２】
請求項８記載の発明のデータ転送制御プログラムでは、コンピュータに、（イ）転送するデータを選択する転送データ選択処理と、（ロ）この転送データ選択処理で転送するデータが選択された後、装置本体内に固定された加速度センサの出力からこの装置本体の姿勢が基準位置から変異した角度を所定時間ごとにサンプリングするサンプリング処理と、（ハ）このサンプリング処理によって角度が連続して複数回、特定の角度範囲に入ったときこれを検出する特定の角度範囲連続検出処理と、（ニ）この特定の角度範囲連続検出処理で角度が連続して複数回、前記した特定の角度範囲に入ったことが検出されたとき、転送データ選択処理で選択したデータの転送を開始するデータ転送開始処理と、（ホ）このデータ転送開始処理でデータの転送が開始されたときそのデータの転送が終了するまでの間、データの転送が行われていることを表わす通知音を出力する通知音出力処理とを実行させることを特徴としている。
【００１３】
すなわち本発明では、コンピュータの実行するデータ転送制御プログラムが、転送するデータを転送データ選択処理で選択させると共に、サンプリング処理で、装置本体内に固定された加速度センサの出力からこの装置本体の姿勢が基準位置から変位した角度を所定時間ごとにサンプリングさせ、複数回、前記した特定の角度範囲に入ったことが連続して検出されたときにデータ転送開始処理でデータの転送を開始するようにしている。これにより、携帯端末装置の姿勢を他の理由で変更した場合にデータが転送されるという誤動作を防止することができる。また、通知音出力処理を行ってデータの転送中は通知音を出力することにしたので、データが転送されていることを音で確認することができる。
【発明の効果】
【００１４】
以上説明したように本発明によれば、多くの携帯端末装置がディスプレイを備えていることに着目し、転送するデータの選択と送信開始とをディスプレイと加速度センサに分担させたので、データの転送を確実かつ簡単に行うことができる。しかも、携帯端末装置を傾斜させる動作を姿勢について特定の変化と対応付ければ、データを送り出す動作とイメージが共通するので、直感的な操作として操作を覚えやすく、データ転送の開始操作を間違いなく実行することができる。また、データの転送中等の状況を音で通知すれば、ディスプレイを見る必要なく状況把握が可能になる。
【発明を実施するための最良の形態】
【００１５】
以下実施例につき本発明を詳細に説明する。
【実施例１】
【００１６】
図１は、本発明の携帯端末装置としての折り畳み式携帯電話機を開いた状態を正面から見たものであり、図２はこの携帯電話機を背面から見たものである。本実施例の携帯電話機１００は、第１の筐体１０１と第２の筐体１０２がヒンジ機構１０３によって開閉自在な構造となっている。
【００１７】
図１に示すように第１の筐体１０１の正面中央には、大きなサイズの第１の液晶ディスプレイ１０４が配置されており、頂上部分には赤外線通信部１０５が配置されている。赤外線通信部１０５は、メール、電話帳データあるいはスケジュール等のデータを赤外線で送受信するようになっている。液晶ディスプレイ１０４と赤外線通信部１０５の中間位置には、通話時に受話器として使用されるレシーバ１０６が配置されている。
【００１８】
また、図２に示すように第１の筐体１０１の背面中央には小さなサイズの第２の液晶ディスプレイ１０８が配置されており、その上側には静止画や動画を撮影するためのカメラ１０９が、下側には呼出音や各種の警告を音で出力するためのスピーカ１１０がそれぞれ配置されている。携帯電話機１００はカメラ１０９で撮影された画像を用いてバーコードの読み込みを行う機能も持っている。第１の液晶ディスプレイ１０４は、電話番号、現在時刻、サービス圏内やサービス圏外の表示、電話帳やスケジュールの表示、カレンダの表示、機能メニュー表示、現在設定されているモードの表示等の各種の表示を行う。第２の液晶ディスプレイ１０８は、これらの表示のうちで携帯電話機１００が折り畳まれた状態で必要あるいは便利とされる情報の表示を行う。
【００１９】
携帯電話機１００の第２の筐体１０２の正面側には図１に示すように操作部１１２と通話時に送話器として使用されるマイクロフォン１１３が配置されている。操作部１１２は、第２の筐体１０２の側部に配置されたサイドキー１１４や、正面のヒンジ機構１０３の下側に設けられたポインタ１１５や、その下側に設けられたダイヤルキー１１６等のスイッチ類から構成されている。第２の筐体１０２の背面側には、図２に示すように加速度センサ１１８が内蔵されている。加速度センサ１１８は後に説明するようにＸ軸方向とＹ軸方向の加速度を検出することで携帯電話機１００の姿勢情報を出力するようになっている。
【００２０】
図３は、この携帯電話機の回路構成の概容を表わしたものである。携帯電話機１００は、ベースバンドＬＳＩ（Large Scale Integration）に代表されるチップ化された制御部１２１を備えている。この制御部１２１は、内部にＣＰＵ（Central Processing Unit）１２２と、このＣＰＵ１２２が各種の制御を行うための制御プログラムを格納したプログラム格納部１２３を備えている。プログラム格納部１２３はＣＰＵ１２２の作業用メモリとしても使用される。制御部１２１は、携帯電話機１００内の各部と接続されている。
【００２１】
このうち、無線信号の送受信を行うアンテナ１２４を接続した無線送受信部１２５は、入出力される無線信号の変復調を行うようになっている。メモリ１２６は、各種のデータを格納する記憶媒体であり、装置構成によっては制御部１２１内のプログラム格納部１２３と兼用することも可能である。このメモリ１２６には、たとえば加速度センサ１１８から出力される携帯電話機１００の姿勢情報を格納するようになっている。また、スピーカ１１０は音源ＩＣ（Integrated Circuit）１２７を介して制御部１２１に接続されている。音源ＩＣ１２７は、多数の音の同時発音が可能なＩＣ回路であり、制御部１２１から供給される音源データに応じて各種のメロディや音声メッセージをスピーカ１１０に出力することができる。本実施例では、赤外線通信部１０５により赤外線送信を行っている期間中、これをイメージテキストに表わしたメロディを出力することができる。
【００２２】
制御部１２１には、図１および図２で説明した第１の液晶ディスプレイ１０４、赤外線通信部１０５、レシーバ１０６、第２の液晶ディスプレイ１０８、カメラ１０９、操作部１１２、マイクロフォン１１３および加速度センサ１１８が接続されている。この他にも、図示しないが、たとえば着信があったときに振動するバイブレータや、第１または第２の筐体１０１、１０２の背面等に配置されて各種の状態を報知するための各種のインジケータが制御部１２１に接続されていてもよい。
【００２３】
図４は、この携帯電話機の加速度センサの傾斜角度の測定方法を説明するためのものである。携帯電話機１００の加速度センサ１１８は第２の筐体１０２の面と水平に配置されている。姿勢制御の基準となるホームポジションでは、Ｚ軸が第２の筐体１０２の水平面と垂直な重力方向になっている。また、加速度センサ１１８のＸ軸はヒンジ機構１０３の軸方向と平行になっており、Ｙ軸は第２の筐体１０２の長手方向と平行になっている。本実施例の加速度センサ１１８は、ヨー（yaw）方向とピッチ（pitch）方向の傾斜をそれぞれ０度から３５９度まで検出できるようになっている。
【００２４】
図５は、この携帯電話機のヨー方向の傾斜あるいは回転を定義したものである。ヨー方向の傾斜あるいは回転とは、飛行機にたとえると、水平に飛行している飛行機がその機首を右または左の方向に振ることをいう。これにより、飛行機の場合には右旋回あるいは左旋回が行われる。したがって、Ｘ，Ｙ平面上で携帯電話機１００を図４で紙面に垂直なＺ軸で回転させるときの角度がヨー方向の傾斜量となる。
【００２５】
図６は、ピッチ方向の傾斜あるいは回転を定義したものである。ピッチ方向の傾斜あるいは回転とは、飛行機にたとえると、翼を水平に保ったまま、その機首を上下方向に振ることをいう。これにより、飛行機の場合には高度を上昇させたり、下降させることが行われる。したがって、Ｙ，Ｚ平面上で携帯電話機１００をＸ軸を中心に回転させるときの角度がピッチ方向の傾斜量となる。
【００２６】
図７は、基準角度から９０度ずつ回転させた場合の携帯電話機のヨー方向の姿勢を表わしたものである。ヨー方向で角度が０゜とは、ユーザの前進する方向に携帯電話機１００を向かせ、第２の筐体１０２を水平に保った状態をいう。この位置から携帯電話機１００を持った手首を反時計回りに左に真横になるまで９０゜回転させると、ヨー方向で角度が９０゜の位置となる。更に手首を反時計回りに９０゜回して携帯電話機１００が逆向きになったとき、ヨー方向で角度が１８０゜の位置となる。更に、携帯電話機１００を持った手首を右に真横まで９０゜回転させると、ヨー方向で角度が２７０゜の位置となる。
【００２７】
本実施例ではデータの転送開始を検出する角度をヨー方向で１００゜〜２８０゜の範囲としている。これは、携帯電話機１００を持った状態で腕を左右に振ることは通常行われているので、この通常行われる可能性のある携帯電話機１００の姿勢でデータ転送を開始させないようにして、誤動作の発生を防止している。もちろん、たとえば赤外線通信を行う場合を想定すると、ユーザのすぐ近くにデータ転送の対象となる携帯電話機（図示せず）が存在しており、データ転送の当事者間で今からデータを転送することが話し合われている。このような状況では、ユーザが誤動作を生じさせる動作を通常行わないという前提に立つこともできる。したがって、データの転送開始を検出する角度をより広範囲に設定する（たとえば５０゜〜３１０゜）ことも可能である。
【００２８】
図８は、基準角度から９０度ずつ回転させた場合の携帯電話機のピッチ方向の姿勢を表わしたものである。ピッチ方向で角度が０゜とは、ユーザの顔の正面に対向するように携帯電話機１００を向かせ、第２の筐体１０２が垂直に保たれた状態をいう。この位置から携帯電話機１００の上端側を顔から離れる方向に下げていき、第２の筐体１０２が水平方向になったとき、ピッチ方向の角度が９０゜の位置となる。この状態から更に携帯電話機１００の上端側を下げて上下逆さの配置になったときが、ピッチ方向の角度が１８０゜の位置となる。更に同じ方向に回転させてユーザの顔に第１の筐体１０１が近づいた状態で第２の筐体１０２が水平方向になったとき、ピッチ方向の角度が２７０゜の位置となる。
【００２９】
本実施例ではデータの転送開始を検出する角度をピッチ方向で１００゜以上の全範囲（１００゜〜３５９゜）としている。第１の筐体１０１の第１の液晶ディスプレイ１０４を見る関係で、携帯電話機１００の第２の筐体１０２のヒンジ機構１０３側を垂直方向を基点として顔から遠ざかる方向に傾けることは通常行われるが、これとは逆の方向に傾けることは通常行わないことによる。もちろん、図７でヨー方向について説明したと同様に、角度範囲をこれ以外に変更することは自由である。
【００３０】
図９は、たとえば携帯電話機に格納されている画像の中から所望のものを赤外線で送信する処理の概容を表わしたものである。図３と共に説明を行う。携帯電話機１００のユーザがカメラ１０９で撮影し、メモリ１２６に格納している複数の画像の中から所望の１枚を、他のユーザの図示しない携帯電話機に赤外線通信で送信する場合を例にとって説明を行う。
【００３１】
まず、ユーザは携帯電話機１０１のメニュー画面から所定の操作を行うか、操作部１１２の特別のファンクションキーを押すことによって、過去に撮影した画像の一覧を第１の液晶ディスプレイに表示させる（ステップＳ２０１）。この表示はサムネイル画像を一覧形式で表示するものであってもよいし、それぞれの画像のタイトルや撮影年月日をテキスト情報で表示するようなものであってもよい。ユーザは撮影済みの複数の画像の中から所望の１枚を選択する（ステップＳ２０２）。この選択は、図１に示した操作部１１２のポインタ１１５やダイヤルキー１１６等の周知のキー操作によって行われる。このとき、選択された画像あるいはテキストの表示された箇所は、他の場所と異なった色あるいは明るさや明度の反転表示形式で表示される。したがって、仮に間違った画像を選択しかけてもキー操作を続行することで所望の画像の選択が行われる。
【００３２】
ユーザは、次に、画像の処理方法の中から「赤外線送信」を選択することになる（ステップＳ２０３）。画像の転送方法を先に選択して、この後に転送するデータの選択を行ってもよい。また、「赤外線送信」しかデータ転送の種類が存在しないときには、ステップＳ２０３の選択処理は不要となる。以上の処理が完了すると、通信の相手側の準備も終了した時点で、選択した画像について赤外線送信処理が実行されることになる（ステップＳ２０４）。
【００３３】
図１０は、本実施例における赤外線送信処理を具体的に表わしたものである。図３と共に説明を行う。
【００３４】
図９のステップＳ２０３でユーザが「赤外線送信」を選択すると、まず加速度センサ１１８が起動され（ステップＳ２２１）、制御部１２１はメモリ１２６の所定の領域としてのカウント領域に格納するカウント値Ｃを“０”にクリアする（ステップＳ２２２）。本実施例では、誤動作を防止するために、カウント値が連続してある値以上であることを送信の開始の条件として設定しており、このためにソフトウェアによるカウンタが使用される。ここでは、初期設定のためにカウント値が“０”にクリアされる。
【００３５】
この後、制御部１２１は加速度センサ１１８の出力するヨー角およびピッチ角の検出を開始する。これらヨー角およびピッチ角の検出は、たとえば０．１秒間隔で行われ、それぞれの角度の判別が行われる。ヨー角とピッチ角のいずれかが１００゜を越えるまでは、ユーザがコップを傾けて、その水を相手に送るイメージの赤外線によるデータの転送は開始せず待機状態を維持する（ステップＳ２２３：Ｎ）。
【００３６】
ヨー角が１００゜を越えて２８０゜以内まで増加したとき、あるいはピッチ角が１００゜以上となったとき（ステップＳ２２３：Ｙ）、制御部１２１はカウント値を“１”だけプラスする（ステップＳ２２４）。最初の場合には、カウント値が“０”だったので、“１”に増加することになる。ステップＳ２２４の処理が行われたら、カウント値が“５”以上になっているかの判別が行われる（ステップＳ２２５）。カウント値がまだ“５”に達していない場合には（Ｎ）、時間ｔ1だけ待機する（ステップＳ２２６）。本実施例では時間ｔ1が０．１秒である。
【００３７】
０．１秒が経過したら（ステップＳ２２６：Ｙ）、そのタイミングでヨー角が１００゜を越えて２８０゜以内まで増加したか、あるいはピッチ角が１００゜以上になったかの判別が行われる（ステップＳ２２７）。この時点でヨー角が１００゜を越えて２８０゜以内まで増加したか、あるいはピッチ角が１００゜以上であったならば（Ｙ）、ステップＳ２２４に進んで再びカウント値が“１”だけ増加する。
【００３８】
ところで、たとえばユーザが携帯電話機１００を不注意で一時的に傾斜させてしまったような場合、カウント値が“５”まで増加するまでにその誤った動作に気付いて元の姿勢状態に戻すことが多い。このような場合で携帯電話機１００の姿勢が元に戻された場合には、ヨー角とピッチ角の双方が１００゜未満となる。このような事態が発生した場合には（ステップＳ２２７：Ｎ）、カウント値Ｃが“０”にクリアされ（ステップＳ２２８）、ステップＳ２２３の処理に戻ることになる。すなわち、再びユーザが赤外線送信のために携帯電話機１００を傾けるまで、処理が待機されることになる。このように誤操作への対策が採られていることで、データが誤って転送されることが防止され、ユーザに不快感を生じさせない。
【００３９】
一方、ステップＳ２２７で判別されたヨー角が１００゜を越えて２８０゜以内、あるいはピッチ角が１００゜以上に連続してなった場合には、カウント値の増加が連続して行われる結果として、ある時点でカウント値が“５”以上となる（ステップＳ２２５：Ｙ）。このように本実施例で０．５秒以上継続して携帯電話機１００が所定の傾斜状態を保持すると、赤外線によるデータの転送が行われる（ステップＳ２２９）。この例では、選択した画像についての赤外線による送信が開始されることになる。
【００４０】
このようにデータの転送が開始されると、制御部１２１は音源ＩＣ１２７を制御して、たとえばコップから水が注がれるときの音をメロディとしてスピーカ１１０から出力する（ステップＳ２３０）。ユーザも相手の装置にデータを流し込むように携帯電話機１００を傾けて赤外線通信を開始できるので、直感的に操作を行うことができる。しかも操作部１１２のキー操作を行うよりも、慣れてしまえば操作が簡単である。
【００４１】
以上のステップＳ２２９およびステップＳ２３０の処理は、ユーザの選択したデータの転送が行われている間、継続する（ステップＳ２３１：Ｎ、ステップＳ２２９、ステップＳ２３０）。ユーザは、携帯電話機１００を傾けることで赤外線による通信を開始したので、その転送開始時点で第１の液晶ディスプレイ１０４あるいは第２の液晶ディスプレイ１０８に赤外線通信の行われている状態が可視情報として表示されても、これを見ていない場合が多い。また、携帯電話機１００の傾斜角度によっては表示内容を見にくい場合も多い。しかしながら、本実施例では赤外線によるデータの転送が開始したらこれが終了するまで特定のメロディがスピーカ１１０から流れるので、第１の液晶ディスプレイ１０４あるいは第２の液晶ディスプレイ１０８の表示を見るまでもなく、通信が正常に継続していることを知ることができる。
【００４２】
赤外線による通信が終了すると（ステップＳ２３１：Ｙ）、その時点で制御部１２１は加速度センサ１１８の出力のチェックを停止する（ステップＳ２３２）。また、この時点でステップＳ２３０のメロディの出力も停止するので、ユーザは赤外線通信が終了したことを知ることができる。もちろん、携帯電話機１００はこれを傾斜させて赤外線による通信を開始した後は通常の姿勢に復帰させて通信を継続することができる。したがって、第１の液晶ディスプレイ１０４あるいは第２の液晶ディスプレイ１０８に赤外線通信の状態を視覚的な情報として表示するようにしておけば、ユーザはこれを見て転送状態を把握することも可能である。
【００４３】
以上説明した実施例では、赤外線通信を行う場合を説明したが、基地局を経由して電子メールについて通常の無線通信を行う場合や無線ＬＡＮ（Local Area Network）に接続してデータの転送を行ったり、ブルートゥース（Bluetooth）等の無線技術で送受信する場合についても、同様に携帯電話機の姿勢を変化させて行うようにしてもよい。
【００４４】
また、実施例では折り畳み式の携帯電話機について説明したが、１つの筐体に各部が組み込まれた一体型の携帯電話機についても本発明を同様に適用することができる。更に、本発明の携帯端末装置は携帯電話機に限定されるものではなく、ディスプレイと姿勢変化検出手段を備える携帯型の端末装置であれば、ＰＨＳ、ＰＤＡ、おもちゃの通信機器等の他の装置でも本発明を適用することができることも当然である。
【００４５】
更に、実施例では赤外線通信が終了した時点で音の出力を停止させるようにしたが、これに限定されるものではない。また、データ転送中に転送エラーが発生した場合にもスピーカ１１０からメロディが継続的に出力される必要はない。これらについて本発明の変形例を次に説明する。
【００４６】
＜第１の変形例＞
【００４７】
図１１は、本発明の第１の変形例として図１０に示した流れ図を一部変更したものを示したものである。図１０と同一部分は一部のみ図示しており、図１０と共通部分の説明は適宜省略する。図３と共に説明する。
【００４８】
この第１の変形例では、データの転送が無事終了すると（ステップＳ２３１：Ｙ）、加速度センサ１１８の処理が停止する（ステップＳ２３２）。これにより、データの転送処理のループから脱却するのでデータ転送中を示す水の音等のメロディあるいは「データ転送中です」といった音声がスピーカ１１０から出力されるのが停止される。
【００４９】
制御部１２１はこの時点でメモリ１２６の所定の領域の「終了通知フラグ」がオンになっているかどうかをチェックする（ステップＳ３０１）。ここで「終了通知フラグ」とは、データの転送が終了したとき、その通知を音で知らせるか否かを表わしたフラグであり、ユーザがオンまたはオフおよびオンのときのメロディや音声を事前に設定できるようになっている。この変形例ではデフォルト値はオフとなっている。
【００５０】
「終了通知フラグ」がオフになっていれば（ステップＳ３０１：Ｎ）、そのまま処理が終了する（エンド）。すなわち、ユーザはステップＳ２３０のメロディの出力が停止した時点で、データの転送が終了したことを知ることができる。
【００５１】
これに対して、「終了通知フラグ」がオンになっていれば（ステップＳ３０１：Ｙ）、制御部１２１は音源ＩＣ１２７に事前に設定された制御用のデータを送ってこのデータによって指定されたメロディまたは音をスピーカ１１０から所定時間出力させる（ステップＳ３０２）。このメロディまたは音は、ステップＳ２３０でスピーカ１１０から出力されたものと当然異なる。したがって、ユーザは第１の液晶ディスプレイ１０４あるいは第２の液晶ディスプレイ１０８の内容を見る必要なくデータの転送が終了したことを知ることができる。設定内容によっては、図示しないバイブレータで一定時間振動を発生させてもよい。
【００５２】
＜第２の変形例＞
【００５３】
図１２は、本発明の第２の変形例として図１０に示した流れ図を一部変更したものを示したものである。図１０と同一部分は一部のみ図示しており、図１０と共通部分の説明は適宜省略する。図３と共に説明する。
【００５４】
データ転送の途中でエラーが発生しても、ユーザは第１の液晶ディスプレイ１０４あるいは第２の液晶ディスプレイ１０８の内容を見ていない場合が多く、気付くのに時間が掛かる場合がある。第２の変形例ではこの点を改善している。制御部１２１はデータが所定単位ずつ転送されるたびに、データの転送が全部終了したかのチェック（ステップＳ２３１）と、エラー発生の有無のチェック（ステップＳ３２１）を行うようにしている。データの転送が終了したときは（ステップＳ２３１：Ｙ）、加速度センサ１１８を用いた処理が終了する（ステップＳ２３２）点で先の実施例と同じである。
【００５５】
データの転送途中でエラーが発生した場合には（ステップＳ３２１：Ｙ）、加速度センサ１１８を用いた処理が終了し（ステップＳ３２２）、続いて制御部１２１はエラー通知処理を実行する（ステップＳ３２３）。この処理は、前記したバイブレータの振動によって行ってもよいし、アラームを感じさせるメロディや「エラーが発生しました」といった音でエラーが発生したことを通知するものであってもよい。
【図面の簡単な説明】
【００５６】
【図１】本発明の一実施例における折り畳み式携帯電話機の開いた状態を示す正面図である。
【図２】本実施例の折り畳み式携帯電話機の開いた状態を示す背面図である。
【図３】本実施例の携帯電話機の回路構成の概容を表わしたブロック図である。
【図４】本実施例の携帯電話機の加速度センサの傾斜角度の測定方法を示した説明図である。
【図５】携帯電話機のヨー方向の傾斜あるいは回転を定義した説明図である。
【図６】携帯電話機のピッチ方向の傾斜あるいは回転を定義した説明図である。
【図７】本実施例で基準角度から９０度ずつ回転させた場合の携帯電話機のヨー方向の姿勢を表わした説明図である。
【図８】本実施例で基準角度から９０度ずつ回転させた場合の携帯電話機のピッチ方向の姿勢を表わした説明図である。
【図９】本実施例の携帯電話機に格納されている画像の中から所望のものを赤外線で送信する処理の概容を表わした流れ図である。
【図１０】本実施例における赤外線送信処理を具体的に表わした流れ図である。
【図１１】本発明の第１の変形例としてのデータ転送終了通知処理を表わした流れ図である。
【図１２】本発明の第２の変形例としてのエラー発生時の通知処理を表わした流れ図である。
【符号の説明】
【００５７】
１００  携帯電話機
１０１  第１の筐体
１０２  第２の筐体
１０５  赤外線通信部
１１０  スピーカ
１１２  操作部
１１８  加速度センサ
１２２  ＣＰＵ
１２３  プログラム格納部
１２６  メモリ
１２７  音源ＩＣ
【図１】
2008034961.tif 000003
【図２】
2008034961.tif 000004
【図３】
2008034961.tif 000005
【図４】
2008034961.tif 000006
【図５】
2008034961.tif 000007
【図６】
2008034961.tif 000008
【図７】
2008034961.tif 000009
【図８】
2008034961.tif 000010
【図９】
2008034961.tif 000011
【図１０】
2008034961.tif 000012
【図１１】
2008034961.tif 000013
【図１２】
2008034961.tif 000014